(57)【要約】【課題】専用の装置を利用せずに記録内容を確認できるＩＣカードを提供する。【解決手段】ＩＣカード１００には、フィルム型ディスプレイからなる表示部１０２が積層されている。ＩＣカード１００には、半導体メモリ１０１が内蔵されており、この半導体メモリ１０１に格納されているデータの中から、設定部１０３が、表示対象データを設定する。そして、表示制御部１０４は、設定部１０３によって表示対象データに設定されたデータを表示部１０２に表示させる。【選択図】図１
2008299783.tif 000002
【特許請求の範囲】
【請求項１】
半導体メモリを備えたＩＣカードであって、
前記ＩＣカードに設けられたフィルム型ディスプレイからなる表示手段と、
前記半導体メモリに格納されているデータの中から前記表示手段に表示させる表示対象データを設定する設定手段と、
前記設定手段によって設定された表示対象データを前記表示手段に表示させる表示制御手段と、
を備えたことを特徴とするＩＣカード。
【請求項２】
前記ＩＣカードのリーダー・ライターから送信された指示情報を受信する通信手段と、
前記通信手段によって受信した指示情報に応じて所定の演算をおこなうとともに、前記演算結果に応じて前記半導体メモリの書き換えをおこなう情報処理手段とを備え、
前記表示制御手段は、前記情報処理手段によって前記表示対象データが書き換えられると、当該書き換えられた表示対象データを前記表示手段に表示させることを特徴とする請求項１に記載のＩＣカード。
【請求項３】
前記設定手段は、外部から、前記表示対象データとして設定するデータの種類の指定を受け付けることを特徴とする請求項１または２に記載のＩＣカード。
【請求項４】
前記設定手段は、表示対象データの種類ごとに、前記表示手段の表示面の中から専用の表示領域を設定し、
前記表示制御手段は、前記設定手段によって設定された表示領域に前記表示対象データを表示させることを特徴とする請求項１〜３のいずれか一つに記載のＩＣカード。
【請求項５】
前記半導体メモリに格納されたデータの中には、データと共に、当該データの有効期限情報が含まれたデータがあり、
前記表示制御手段は、前記表示対象データに当該データの有効期限情報が含まれている場合には、前記表示対象データと共に、当該データの有効期限を表示させることを特徴とする請求項１〜４のいずれか一つに記載のＩＣカード。
【請求項６】
前記表示制御手段は、前記半導体メモリに表示対象データが格納されていない場合には、前記表示手段の表示内容をリセットすることを特徴とする請求項１〜５のいずれか一つに記載のＩＣカード。
【請求項７】
前記表示手段は、電極板に封入したインクを電気的に制御して前記表示対象データの表示させる電子ペーパーによって構成されていることを特徴とする請求項１〜６のいずれか一つに記載のＩＣカード。
【請求項８】
前記表示手段は、有機エレクトロルミネッセンスを利用した発光により前記表示対象データを表示させる有機ＥＬフィルムによって構成されていることを特徴とする請求項１〜６のいずれか一つに記載のＩＣカード。
【発明の詳細な説明】
【技術分野】
【０００１】
この発明は、所定のリーダー・ライターと通信をおこなうことにより記録情報の送信や、書き換えをおこなうＩＣカードに関する。ただし、この発明の利用は、前述のＩＣカードに限るものではない。
【背景技術】
【０００２】
近年、磁気カードに代わって、大容量の情報を格納でき、なおかつ、耐タンパ性が高いという利点を備えたＩＣカードが広く普及している。このようなＩＣカードを利用することにより、一枚のカードを様々な用途に活用することが可能になった。たとえば、ＩＣカード発行時に専用のカード発行装置を用いることによって、ＩＣカードに内蔵されたＩＣチップには、ＩＣ固有情報や個人情報など、複数種類のデータを記録することができる。また、カード面には、ＩＣチップに記録したデータをＩＣ固有情報として印字することにより利用者に視認可能に表示させることができる。このカード面に表示させたＩＣ固有情報は、発行時の処理で消去、書き換え可能である（たとえば、下記特許文献１参照。）。
【０００３】
【特許文献１】特開２００７−１０２４０４号公報
【発明の開示】
【発明が解決しようとする課題】
【０００４】
しかしながら、従来のＩＣカードは、記録領域の記録内容を確認するには、専用のカードリーダーを利用しなければならない。また、従来のＩＣカードは、上記特許文献１のように、カード表面に記録内容を印字して、利用者に視認可能にすることもできるが、印字には、専用の発券装置が用いられるため、常にＩＣチップの最新の記録内容を表示することはできない。
【０００５】
たとえば、ＩＣカードを用いて電子マネーによる決済をおこなう場合、所定のＩＣカードに電子マネーをチャージすると、ＩＣチップには、チャージ分の電子マネー情報が記録される。そして、店舗のレジや、駅の改札においてＩＣカードを利用すると、ＩＣチップの電子マネー情報から商品や運賃相当の金額が引き落とされる。このように、ＩＣカード利用に応じて、ＩＣチップの記録内容は絶えず更新される。また、定期券情報やチケット情報が印字された場合、有効期限が切れた後にも、専用の発券装置によって印字を消去するか、書き換えなければ印字内容が残り、古い情報が表示され続けてしまう。このように、従来のＩＣカードでは、専用の装置がなければ最新の情報を表示できないという問題が一例として挙げられる。
【０００６】
また、従来のＩＣカードの場合、ＩＣチップに記録している情報のうち、どの情報を表面に印字するかは、ＩＣカードの発券機構（たとえば、定期券を発行する交通会社、チケットを発行するチケット取り扱い会社）が設定したレイアウトに準じる。したがって、姓名、年齢、利用区間など、利用者にとってはＩＣカード利用時以外には表示させたくない情報であっても、表示され続けてしまう。このように、従来のＩＣカードは、利用者が表示内容を制御できないという問題が一例として挙げられている。
【課題を解決するための手段】
【０００７】
請求項１の発明にかかるＩＣカードは、半導体メモリを備えたＩＣカードであって、前記ＩＣカードに設けられたフィルム型ディスプレイからなる表示手段と、前記半導体メモリに格納されているデータの中から前記表示手段に表示させる表示対象データを設定する設定手段と、前記設定手段によって設定された表示対象データを前記表示手段に表示させる表示制御手段と、を備えたことを特徴とする。
【発明を実施するための最良の形態】
【０００８】
以下に添付図面を参照して、この発明にかかるＩＣカードの好適な実施の形態を詳細に説明する。
【０００９】
（ＩＣカードの機能的構成）
まず、本実施の形態にかかるＩＣカードの機能的構成について説明する。図１は、本実施の形態にかかるＩＣカードの機能的構成を示すブロック図である。図１のように、ＩＣカード１００は、半導体メモリ１０１と、表示部１０２と、設定部１０３と、表示制御部１０４と、通信部１０５と、情報処理部１０６とを含んで構成されている。
【００１０】
半導体メモリ１０１は、半導体素子によって構成された記録媒体であり、ＩＣカード１００のカード本体に内蔵されている。半導体メモリ１０１には、外部からの書き込みデータを格納するためのメモリ領域と、指示情報に応じた各種演算をおこなうためのプログラムが格納された領域とを備えている。
【００１１】
表示部１０２は、ＩＣカード１００に設けられたフィルム型ディスプレイである。したがって、表示部１０２は、ＩＣカード１００本体に積層された構成となっている。フィルム型ディスプレイの具体的な構成例としては、電極板に封入したインクを電気的に制御して前記表示対象データの表示させる電子ペーパーであってもよいし、有機エレクトロルミネッセンスを利用した発光により前記表示対象データを表示させる有機ＥＬフィルムであってもよい。
【００１２】
設定部１０３は、半導体メモリ１０１に格納されているデータの中から表示部１０２に表示させる表示対象データを設定する。上述したように、半導体メモリ１０１には、外部からの書き込みデータや、各種プログラムが格納されている。これらのデータの中から利用者に視認可能に表示させる情報を、表示対象データとして設定する。
【００１３】
なお、設定部１０３がどのようなデータを表示対象データとして設定するかはあらかじめ固定されているが、外部から、表示対象データとして設定するデータの種類の指定を受け付けることもできる。このような指定を受け付けた場合には、設定部１０３は、この指定に準じて表示対象データを設定する。
【００１４】
表示制御部１０４は、設定部１０３によって設定された表示対象データを表示部１０２に表示させる。表示制御部１０４は、表示対象データを表示部１０２に表示させる際に、表示対象データを半導体メモリ１０１から読み出す。なお、半導体メモリ１０１に格納されているデータは、ＩＣカード１００がリーダー・ライターと通信処理をおこなうと、その処理内容に応じて、データが書き換えられることがある。したがって、表示制御部１０４は、設定部１０３によって表示対象データとして設定されたデータが半導体メモリ１０１に格納されていない場合には、表示内容をリセットする。
【００１５】
また、上述した設定部１０３は、表示対象データの種類ごとに、表示部１０２の表示面の中から専用の表示領域を設定している場合がある。たとえば、定期券データは、表示部１０２の表示面全面を表示領域に設定し、金券データは、表示面の右上１／４の部分を表示領域に設定するなどである。このような設定がなされている場合、表示制御部１０４は、設定部１０３によって設定された表示領域に表示対象データを表示させる。
【００１６】
また、半導体メモリ１０１に格納されたデータの中には、データと共に、当該データの有効期限情報が含まれたデータがある。このような場合、表示制御部１０４は、表示対象データと共に、このデータの有効期限を表示させてもよい。この表示の有無は、設定部１０３にて個別に設定することもできる。
【００１７】
通信部１０５は、ＩＣカード１００に対応した専用のリーダー・ライターから送信された指示情報を受信する。通信部１０５は、具体的には、ＩＣカード１００に内蔵されたアンテナコイルである。上述のリーダー・ライターから送信される指示情報は、所定の高周波信号によって構成されているため、通信部１０５のアンテナコイルによってこの高周波信号を受信する。また、ＩＣカード１００からリーダー・ライターに返信信号を送信する際にも、このアンテナコイルを利用して高周波信号を送信する。
【００１８】
情報処理部１０６は、通信部１０５によって受信した指示情報に応じて所定の演算をおこなうとともに、この演算結果に応じて半導体メモリ１０１の書き換えをおこなう。上述したように、半導体メモリ１０１には、各種プログラムが格納されている。たとえば、リーダー・ライターから半導体メモリ１０１に格納されている金券情報を利用する指示情報が送信された場合には、情報処理部１０６は、半導体メモリ１０１から対応するプログラムを読み出し、金券情報の認証や、残高計算をおこなう。そして、金券情報の利用後の残高が更新された情報を、あらたな金券情報として、半導体メモリ１０１に書き込む。
【００１９】
（ＩＣカードの表示処理の内容）
つぎに、本実施の形態にかかるＩＣカードの表示処理の内容について説明する。図２は、本実施の形態にかかるＩＣカードの表示処理の内容を示すフローチャートである。図２のフローチャートにおいて、まず、通信部１０５が、ＩＣカード１００のリーダー・ライターから送信された指示情報を受け付けたか否かを判断する（ステップＳ２０１）。
【００２０】
ステップＳ２０１において、指示情報を受け付けると（ステップＳ２０１：Ｙｅｓ）、情報処理部１０６によって、指示情報に応じた演算をおこなう（ステップＳ２０２）。演算がおこなわれると、情報処理部１０６は、さらに演算結果に応じて半導体メモリ１０１の書き換えをおこなう（ステップＳ２０３）。また、ステップＳ２０１において、指示情報を受け付けなかった場合には（ステップＳ２０１：Ｎｏ）、そのままステップＳ２０４の処理に移行する。
【００２１】
つぎに、設定部１０３によって設定された表示対象データが半導体メモリ１０１に格納されているか否かを判断する（ステップＳ２０４）。ここで、表示対象データが格納されている場合には（ステップＳ２０４：Ｙｅｓ）、表示制御部１０４によって表示対象データを表示部１０２に表示させ（ステップＳ２０５）、一連の処理を終了する。一方、表示対象データが格納されていなかった場合には（ステップＳ２０４：Ｎｏ）、表示部１０２の表示内容をリセットし（ステップＳ２０６）、一連の処理を終了する。
【００２２】
以上説明したように、本実施の形態にかかるＩＣカード１００は、カード本体に、表示部１０２が備えられている。したがって、利用者は、半導体メモリ１０１に格納されているデータを常時確認することができる。また、どのような情報を表示させるかを、個別に設定することもできる。
【実施例】
【００２３】
以下に本発明の実施例を説明する。ここでは、複数の用途をもったユニバーサルカードとして利用されるＩＣカードを例に挙げて、ＩＣカードの利用状況に応じた表示内容の書き換え処理について具体的に説明する。
【００２４】
（ＩＣカードの機能）
まず、本実施例のＩＣカードの機能について説明する。図３は、本実施例にかかるＩＣカードの表示内容の一例を示す説明図である。図３に示したＩＣカード３００は、その主な用途として、乗車券、電子マネーおよび電子チケットの３種類が挙げられる。
【００２５】
乗車券として利用する場合、ＩＣカード３００には、電車、バスなどの公共交通機関の定期券データや、利用区間分の運賃を支払うプリペイドカードとして利用するためのチャージ金額分のプリペイドカードデータが記録される。
【００２６】
公共交通機関を利用する際、利用者は、まず、駅の券売機や窓口においてＩＣカード３００に定期券データもしくはチャージ金額分のプリペイドカードデータを入力する。そして、利用駅の改札に配置されたリーダー・ライターにＩＣカード３００を近接（かざすなどして）することによってＩＣカード３００に内蔵されているＩＣチップに格納されているデータを読み取らせ改札内に入場する。改札から外に出る際も同様に、改札に配置されたリーダー・ライターにＩＣカード３００を近接させることによってＩＣチップに格納されている改札入場データを読み出させる。ＩＣチップに、定期券データが格納されていない場合には、チャージ金額分のプリペイドカードデータが、利用区間分の運賃を引いた金額に書き換えられる。
【００２７】
電子マネーカードとして利用する場合、ＩＣカード３００には、チャージ金額分の電子マネーデータが記録される。電子マネーを使用して商品を購入する際、利用者は、まず、専用のチャージ装置や、レジに配置されているリーダー・ライターによって所定の金額をチャージしておく。そして、商品購入の際に、レジのリーダー・ライターにＩＣカード３００を近接させることによって、ＩＣチップに記録された電子マネーデータから代金相当の電子マネーが引き落とされる。すなわち、引き落とし処理によって、ＩＣカード３００のＩＣチップに記録されている電子マネーデータが、代金が引かれた残高の電子マネーデータに書き換えられる。
【００２８】
電子チケットカードとして利用する場合、ＩＣカード３００には、チケット情報が記録される。電子チケットとは、具体的には、各種興業（スポーツ、コンサート、イベントなど）の入場券、商品券、図書券、優待券、クーポン券などをあらわす金券情報である。チケット情報は、チケット販売所によってＩＣチップに書き込まれる。
【００２９】
また、電子チケットの中でも、無償で提供するクーポン券の場合、街頭に掲示されたポスターや看板にリーダー・ライターと同様の高周波信号を送信する通信機器を備え付けて、クーポン発行装置として利用する例もある。このような手法の場合、利用者は、ポスターや看板にＩＣカード３００を近接させることによって、クーポンの電子チケットデータを受信する。受信した電子チケットデータは、通常の電子チケットデータと同様にＩＣチップに書き込まれる。
【００３０】
上述したように、ＩＣカード３００は、改札、店舗レジ、クーポン発券場所に設置された専用のリーダー・ライターに近接させることによって所定の高周波信号の送受信をおこない、各種データの書き込みがおこなわれる。したがって、本実施例にかかるＩＣカード３００は、カード内での所定の情報処理を実行するためのＣＰＵを備えた非接触型のＩＣカードである。
【００３１】
（ＩＣカードの構成）
つぎに、本実施例にかかるＩＣカード３００の構成について説明する。図４は、本実施例にかかるＩＣカードの構成の一例を示す説明図である。図４のように、ＩＣカード３００は、カード基盤３００Ａと、電子ペーパー３１０と、ＩＣチップ３２０によって構成されている。
【００３２】
カード基盤３００Ａは、ＰＶＣ（ポリ塩化ビニル）、ＡＢＳ（アクリロニトル・ブタジエン・スチレン）、ＰＥＴ（ポリエチレン・テレフタレート）などの素材によって形成されたプラスチック板である。また、カード基盤３００Ａのサイズは、国際標準化機構（ＩＳＯ）／国際電気標準会議（ＩＥＣ）が制定した国際規格に準拠している。
【００３３】
電子ペーパー３１０は、ＩＣチップ３２０に格納されたデータを電気制御により利用者に視認可能に表示する薄型のディスプレイである。電子ペーパー３１０の表示面は、正または負に帯電したインクが封入された２枚の電極板によって構成されている。２枚の電極板のうち、上部の電極は、透明電極によって構成されている。電極には、表示内容に応じた場所に印加され、この印加に応じて内部のインクが移動し、表示画面を形成する。
【００３４】
なお、ＩＣカード３００の場合、薄型ディスプレイとして電子ペーパー３１０を利用しているが、他のディスプレイを適用することもできる。具体的には、たとえば、有機ＥＬフィルムを用いてもよい。有機ＥＬフィルムを用いる場合には、電子ペーパー３１０と異なり、表示状態を持続させるには電流を供給し続けなければならない。したがって、カード基盤３００Ａに薄型電池を積層させる、もしくは、ＩＣカード３００の裏面、もしくは表面の一部に太陽電池を積層させる構成が望ましい。
【００３５】
ＩＣチップ３２０は、半導体集積回路と、半導体メモリとアンテナコイルとによって構成されている。上述したように、ＩＣカード３００は、非接触型であるため、ＩＣチップ３２０には、リーダー・ライターとのデータの送受信と、電子ペーパー３１０およびＩＣチップ３２０への電力供給をおこなうためのアンテナコイルの構成が必須となる。
【００３６】
また、上述した構成に加え、ＩＣカード３００に、表示内容をリセット（表示停止）させるリセットボタン（不図示）を備えてもよい。このリセットボタンを押下することによって、ＩＣカード３００を利用していない時、ＩＣカード３００の記録内容を確認する必要がない時には、何も表示されない表示面に設定することができる。この場合、一旦リセットされた表示面は、リーダー・ライターに近接させ、所定の高周波信号を受信することによって、表示が再開される。
【００３７】
（ＩＣカードの利用例）
つぎに、利用場所に応じたＩＣカード３００の表示内容の書き換え例について説明する。図５は、利用場所に応じたＩＣカードの表示内容の書き換え例を示す説明図である。図５のように、ＩＣカード３００は、利用者に携帯されるため、様々な利用場所にて使用される。主な利用場所としては、発券装置５１０、改札・レジ５２０、クーポン発行装置５３０がある。
【００３８】
発券装置５１０は、駅の構内や、公共交通機関の搭乗口に配置されている。発券装置５１０では、利用者が購入した定期券や、プリペイドカードのデータが記録される。また、発券装置５１０によって記録されたデータは、ＩＣカード３００の表示面の全域に表示されるデータであるため、ＩＣカード３００の領域３１０Ａの内容が書き換えられる。さらに、発券装置５１０では、ＩＣカード３００の定期券や搭乗券としての機能をあらわす情報（定期区間、期限、チャージ残高など）以外にも、領域３１０Ａのデザインデータを取得することもできる。デザインデータは、ＩＣカードによる金券機能には関係ないＩＣカード３００の装飾用のデータである。利用者は、発券装置５１０によって取得したデザインデータを領域３１０Ａに適宜表示させることができる。
【００３９】
なお、発券装置５１０には、押しボタン、タッチパネルなど利用者からの入力が可能なインターフェースが備えられているため、これらインターフェースを用いて、ＩＣカード３００の表示面の各表示領域にどのような情報を表示させるかの選択およびレイアウトをおこなえるようにしてもよい。
【００４０】
改札・レジ５２０では、プリペイドカードによる公共交通機関の利用や、商品の購入に応じて電子マネーデータの残高が書き換えられる。したがって、ＩＣカード３００の表示面のうち、チャージ残高を表示する領域３１０Ｂのみの内容が書き換えられる。
【００４１】
クーポン発行装置５３０は、上述したように、街頭に掲示されているポスターや、看板に備えられている。クーポン発行装置５３０からは、クーポンデータが発信されており、利用者がＩＣカード３００を近接させると、ＩＣカード３００にクーポンデータが書き込まれる。したがって、ＩＣカード３００の表示面のうち、クーポン券の有無を表示する領域３１０Ｃのみの内容が書き換えられる。
【００４２】
以上説明したように、ＩＣカード３００は、利用場所に応じて各種データが書き込まれる。また、ＩＣカード３００は、表示可能な表示領域のうち、書き込まれたデータの内容に応じて該当する表示領域の表示内容を適宜更新する。
【００４３】
（ＩＣカードの機能的構成と通信処理の内容）
つぎに、ＩＣカード３００のＩＣチップ３２０の構成と、通信処理の内容について説明する。図６は、ＩＣカードのＩＣチップの構成例とリーダー・ライターとの通信処理の内容を示す説明図である。ＩＣカード３００には、ＩＣチップ３２０が内蔵されており、リーダー・ライター６００との通信処理を制御している。したがって、図６に示したように、ＩＣチップ３２０には、アンテナ３２１と、電力変換部３２２と、データ送受信部３２３と、ＣＰＵ３２４と、表示制御部３２５とを備えている。
【００４４】
ＩＣカード３００がリーダー・ライター６００と通信処理をおこなう際には、まず、リーダー・ライター６００からリーダー／ライター情報が送信される（ステップＳ６０１）。ＩＣカード３００は、アンテナ３２１によってこのリーダー／ライター情報を受信する。
【００４５】
また、ＩＣカード３００では、アンテナ３２１が受信したリーダー／ライター情報の高周波信号を電力変換部３２２によって電力に変換する。この電力によってＣＰＵ３２４は、指示信号に応じた演算をおこなう。ここでは、まず、指示情報としてリーダー／ライター情報を受信したため、ＣＰＵ３２４は、応答信号として、ＩＣカード３００のカード情報をデータ送受信部３２３からリーダー・ライター６００へ送信させる（ステップＳ６０２）。
【００４６】
リーダー・ライター６００は、ＩＣカード３００から送信されたカード情報を受信すると、ＩＣカード３００に対応した書き込み領域情報を送信する（ステップＳ６０３）。書き込み領域情報とは、リーダー・ライター６００の種類と、ＩＣカード３００の種類に応じて書き込み領域を指定する情報である。図５において説明したようにリーダー・ライター６００が、発券装置５１０であれば、書き込み領域情報は、領域３１０Ａ（図５参照）となる。
【００４７】
そして、リーダー・ライター６００は、書き込み領域情報を送信した後、さらにＩＣカード３００に書き換え情報を送信する（ステップＳ６０４）。ＩＣカード３００は、まず、アンテナ３２１によって書き込み領域情報を受信すると、電力変換部３２２によって起電し、ＣＰＵ３２４から指示信号として表示制御部３２５に書き込み領域情報を出力する。
【００４８】
さらに、ＩＣカード３００は、アンテナ３２１によって書き換え情報を受信すると、電力変換部３２２によって起電し、ＣＰＵ３２４によって受信した書き換え情報に応じた演算をおこない、演算結果を表示制御部３２５に出力する。表示制御部３２５は、ＣＰＵ３２４から出力された演算結果を、書き込む領域情報によって指定された領域に表示させる。
【００４９】
上述のような通信処理をおこなうことにより、ＩＣカード３００は、リーダー・ライター６００の指示情報に応じた書き換えをおこなうことができる。そして、書き換えられたデータは、表示制御部３２５によって表示部である電子ペーパー３１０（図４参照）に表示される。このとき、リーダー・ライター６００から書き込み領域情報を受信しているため、書き換えに関する処理は、書き込み領域に限定される。したがって、消費電力が少なく、なおかつ、高速な処理を実現できる。
【００５０】
以上説明したように、本実施例にかかるＩＣカード３００によれば、ＩＣチップ３２０に記録されたデータをＩＣカード３００に積層された表示面（ここでは、電子ペーパー３１０）に表示させることができる。したがって、利用者は、随時、ＩＣチップ３２０に記録されたデータの内容を確認することができる。また、表示面に表示させる内容を設定することが可能であるため、利用者が表示内容を制御することができる。
【図面の簡単な説明】
【００５１】
【図１】本実施の形態にかかるＩＣカードの機能的構成を示すブロック図である。
【図２】本実施の形態にかかるＩＣカードの表示処理の内容を示すフローチャートである。
【図３】本実施例にかかるＩＣカードの表示内容の一例を示す説明図である。
【図４】本実施例にかかるＩＣカードの構成の一例を示す説明図である。
【図５】利用場所に応じたＩＣカードの表示内容の書き換え例を示す説明図である。
【図６】ＩＣカードのＩＣチップの構成とリーダー・ライターとの通信処理の内容を示す説明図である。
【符号の説明】
【００５２】
１００、３００  ＩＣカード
１０１  半導体メモリ
１０２  表示部
１０３  設定部
１０４  表示制御部
１０５  通信部
１０６  情報処理部
３００Ａ  カード基盤
３１０  電子ペーパー
３２０  ＩＣチップ
３２１  アンテナ
３２２  電力変換部
３２３  データ送受信部
３２４  ＣＰＵ
３２５  表示制御部
【図１】
2008299783.tif 000003
【図２】
2008299783.tif 000004
【図３】
2008299783.tif 000005
【図４】
2008299783.tif 000006
【図５】
2008299783.tif 000007
【図６】
2008299783.tif 000008